(57)【特許請求の範囲】
【請求項１】
異なる周波数のキャリアを用いて上りリンクのキャリアアグリゲーションを行うことができる移動通信システムにおける移動通信方法であって、
移動局が、無線基地局に対して、上りリンクのキャリアアグリゲーションを行う際に同一のサブフレームにおいて複数のバンド内の複数のキャリアを介して上りデータ信号を送信することができるか否かについて示す同時送信能力情報を送信する送信工程と、
前記無線基地局が、前記同時送信能力情報に基づいて、前記移動局に対するスケジューリングを行うスケジューリング工程と、有し、
前記スケジューリング工程では、
前記移動局が、上りリンクのキャリアアグリゲーションを行う際に同一のサブフレームにおいて複数のバンド内の複数のキャリアを介して上りデータ信号を送信することができない場合、複数のバンド内の複数のキャリアを介して上りデータ信号を送信しないようにスケジューリングし、同一のバンド内の複数のキャリアを介して上りデータ信号を送信するようにスケジューリングする
ことを特徴とする移動通信方法。
【請求項２】
異なる周波数のキャリアを用いて上りリンクのキャリアアグリゲーションを行うことができる移動通信システムにおける移動通信方法であって、
移動局が、無線基地局に対して、上りリンクのキャリアアグリゲーションを行う際に同一のサブフレームにおいて複数のバンド内の複数のキャリアを介して上りデータ信号を送信した場合に所定通信品質を担保することができるか否かについて示す同時送信能力情報を送信する送信工程と、
前記無線基地局が、前記同時送信能力情報に基づいて、前記移動局に対するスケジューリングを行うスケジューリング工程と、を有し、
前記スケジューリング工程では、
前記移動局が、上りリンクのキャリアアグリゲーションを行う際に同一のサブフレームにおいて複数のバンド内の複数のキャリアを介して上りデータ信号を送信した場合に所定通信品質を担保することができない場合、複数のバンド内の複数のキャリアを介して上りデータ信号を送信しないようにスケジューリングし、同一のバンド内の複数のキャリアを介して上りデータ信号を送信するようにスケジューリングする
ことを特徴とする移動通信方法。
【請求項３】
異なる周波数のキャリアを用いて上りリンクのキャリアアグリゲーションを行うことができる移動通信システムで用いられる無線基地局であって、
移動局から、上りリンクのキャリアアグリゲーションを行う際に同一のサブフレームにおいて複数のバンド内の複数のキャリアを介して上りデータ信号を送信することができるか否かについて示す同時送信能力情報を受信するように構成されている受信部と、
前記同時送信能力情報に基づいて、前記移動局に対するスケジューリングを行うように構成されているスケジューリング部と、を具備し、
前記スケジューリング部は、
前記移動局が、上りリンクのキャリアアグリゲーションを行う際に同一のサブフレームにおいて複数のバンド内の複数のキャリアを介して上りデータ信号を送信することができない場合、複数のバンド内の複数のキャリアを介して上りデータ信号を送信しないようにスケジューリングし、同一のバンド内の複数のキャリアを介して上りデータ信号を送信するようにスケジューリングする
ことを特徴とする無線基地局。
【請求項４】
異なる周波数のキャリアを用いて上りリンクのキャリアアグリゲーションを行うことができる移動通信システムで用いられる無線基地局であって、
移動局から、上りリンクのキャリアアグリゲーションを行う際に同一のサブフレームにおいて複数のバンド内の複数のキャリアを介して上りデータ信号を送信した場合に所定通信品質を担保することができるか否かについて示す同時送信能力情報を受信するように構成されている受信部と、
前記同時送信能力情報に基づいて、前記移動局に対するスケジューリングを行うように構成されているスケジューリング部と、を具備し、
前記スケジューリング部は、
前記移動局が、上りリンクのキャリアアグリゲーションを行う際に同一のサブフレームにおいて複数のバンド内の複数のキャリアを介して上りデータ信号を送信した場合に所定通信品質を担保することができない場合、複数のバンド内の複数のキャリアを介して上りデータ信号を送信しないようにスケジューリングし、同一のバンド内の複数のキャリアを介して上りデータ信号を送信するようにスケジューリングする
ことを特徴とする無線基地局。
【請求項５】
異なる周波数のキャリアを用いて上りリンクのキャリアアグリゲーションを行うことができる移動通信システムで用いられる移動局であって、
無線基地局に対して、上りリンクのキャリアアグリゲーションを行う際に同一のサブフレームにおいて複数のバンド内の複数のキャリアを介して上りデータ信号を送信することができるか否かについて示す同時送信能力情報を送信するように構成されている送信部を具備し、
前記無線基地局により、前記移動局が、上りリンクのキャリアアグリゲーションを行う際に同一のサブフレームにおいて複数のバンド内の複数のキャリアを介して上りデータ信号を送信することができない場合、複数のバンド内の複数のキャリアを介して上りデータ信号を送信しないようにスケジューリングされ、同一のバンド内の複数のキャリアを介して上りデータ信号を送信するようにスケジューリングされる
ことを特徴とする移動局。
【請求項６】
異なる周波数のキャリアを用いて上りリンクのキャリアアグリゲーションを行うことができる移動通信システムで用いられる移動局であって、
無線基地局に対して、上りリンクのキャリアアグリゲーションを行う際に同一のサブフレームにおいて複数のバンド内の複数のキャリアを介して上りデータ信号を送信した場合に所定通信品質を担保することができるか否かについて示す同時送信能力情報を送信するように構成されている送信部を具備し、
前記無線基地局により、前記移動局が、上りリンクのキャリアアグリゲーションを行う際に同一のサブフレームにおいて複数のバンド内の複数のキャリアを介して上りデータ信号を送信した場合に所定通信品質を担保することができない場合、複数のバンド内の複数のキャリアを介して上りデータ信号を送信しないようにスケジューリングされ、同一のバンド内の複数のキャリアを介して上りデータ信号を送信するようにスケジューリングされる
ことを特徴とする移動局。
【請求項７】
異なる周波数のキャリアを用いて上りリンクのキャリアアグリゲーションを行うことができる移動通信システムにおける移動通信方法であって、
移動局が、無線基地局に対して、上りリンクのキャリアアグリゲーションを行う際に同一のサブフレームにおいて複数のアンテナから送信される複数のキャリアを介して上りデータ信号を送信することができるか否かについて示す同時送信能力情報を送信する送信工程と、
前記無線基地局が、前記同時送信能力情報に基づいて、前記移動局に対するスケジューリングを行うスケジューリング工程と、を有し、
前記スケジューリング工程では、
前記移動局が、上りリンクのキャリアアグリゲーションを行う際に同一のサブフレームにおいて複数のアンテナから送信される複数のキャリアを介して上りデータ信号を送信することができない場合、複数のアンテナから送信される複数のキャリアを介して上りデータ信号を送信しないようにスケジューリングし、同一のアンテナから送信される複数のキャリアを介して上りデータ信号を送信するようにスケジューリングする
ことを特徴とする移動通信方法。
【請求項８】
異なる周波数のキャリアを用いて上りリンクのキャリアアグリゲーションを行うことができる移動通信システムにおける移動通信方法であって、
移動局が、無線基地局に対して、上りリンクのキャリアアグリゲーションを行う際に同一のサブフレームにおいて複数のアンテナから送信される複数のキャリアを介して上りデータ信号を送信した場合に所定通信品質を担保することができるか否かについて示す同時送信能力情報を送信する送信工程と、
前記無線基地局が、前記同時送信能力情報に基づいて、前記移動局に対するスケジューリングを行うスケジューリング工程と、を有し、
前記スケジューリング工程では、
前記移動局が、上りリンクのキャリアアグリゲーションを行う際に同一のサブフレームにおいて複数のアンテナから送信される複数のキャリアを介して上りデータ信号を送信した場合に所定通信品質を担保することができない場合、複数のアンテナから送信される複数のキャリアを介して上りデータ信号を送信しないようにスケジューリングし、同一のアンテナから送信される複数のキャリアを介して上りデータ信号を送信するようにスケジューリングする
ことを特徴とする移動通信方法。
【請求項９】
異なる周波数のキャリアを用いて上りリンクのキャリアアグリゲーションを行うことができる移動通信システムで用いられる無線基地局であって、
移動局から、上りリンクのキャリアアグリゲーションを行う際に同一のサブフレームにおいて複数のアンテナから送信される複数のキャリアを介して上りデータ信号を送信することができるか否かについて示す同時送信能力情報を受信するように構成されている受信部と、
前記同時送信能力情報に基づいて、前記移動局に対するスケジューリングを行うように構成されているスケジューリング部と、を具備し、
前記スケジューリング部は、
前記移動局が、上りリンクのキャリアアグリゲーションを行う際に同一のサブフレームにおいて複数のアンテナから送信される複数のキャリアを介して上りデータ信号を送信することができない場合、複数のアンテナから送信される複数のキャリアを介して上りデータ信号を送信しないようにスケジューリングし、同一のアンテナから送信される複数のキャリアを介して上りデータ信号を送信するようにスケジューリングする
ことを特徴とする無線基地局。
【請求項１０】
異なる周波数のキャリアを用いて上りリンクのキャリアアグリゲーションを行うことができる移動通信システムで用いられる無線基地局であって、
移動局から、上りリンクのキャリアアグリゲーションを行う際に同一のサブフレームにおいて複数のアンテナから送信される複数のキャリアを介して上りデータ信号を送信した場合に所定通信品質を担保することができるか否かについて示す同時送信能力情報を受信するように構成されている受信部と、
前記同時送信能力情報に基づいて、前記移動局に対するスケジューリングを行うように構成されているスケジューリング部と、を具備し、
前記スケジューリング部は、
前記移動局が、上りリンクのキャリアアグリゲーションを行う際に同一のサブフレームにおいて複数のアンテナから送信される複数のキャリアを介して上りデータ信号を送信した場合に所定通信品質を担保することができない場合、複数のアンテナから送信される複数のキャリアを介して上りデータ信号を送信しないようにスケジューリングし、同一のアンテナから送信される複数のキャリアを介して上りデータ信号を送信するようにスケジューリングする
ことを特徴とする無線基地局。
【請求項１１】
異なる周波数のキャリアを用いて上りリンクのキャリアアグリゲーションを行うことができる移動通信システムで用いられる移動局であって、
無線基地局に対して、上りリンクのキャリアアグリゲーションを行う際に同一のサブフレームにおいて複数のアンテナから送信される複数のキャリアを介して上りデータ信号を送信することができるか否かについて示す同時送信能力情報を送信するように構成されている送信部を具備し、
前記無線基地局により、前記移動局が、上りリンクのキャリアアグリゲーションを行う際に同一のサブフレームにおいて複数のアンテナから送信される複数のキャリアを介して上りデータ信号を送信することができない場合、複数のアンテナから送信される複数のキャリアを介して上りデータ信号を送信しないようにスケジューリングされ、同一のアンテナから送信される複数のキャリアを介して上りデータ信号を送信するようにスケジューリングされる
ことを特徴とする移動局。
【請求項１２】
異なる周波数のキャリアを用いて上りリンクのキャリアアグリゲーションを行うことができる移動通信システムで用いられる移動局であって、
無線基地局に対して、上りリンクのキャリアアグリゲーションを行う際に同一のサブフレームにおいて複数のアンテナから送信される複数のキャリアを介して上りデータ信号を送信した場合に所定通信品質を担保することができるか否かについて示す同時送信能力情報を送信するように構成されている送信部を具備し、
前記無線基地局により、前記移動局が、上りリンクのキャリアアグリゲーションを行う際に同一のサブフレームにおいて複数のアンテナから送信される複数のキャリアを介して上りデータ信号を送信した場合に所定通信品質を担保することができない場合、複数のアンテナから送信される複数のキャリアを介して上りデータ信号を送信しないようにスケジューリングされ、同一のアンテナから送信される複数のキャリアを介して上りデータ信号を送信するようにスケジューリングされる
ことを特徴とする移動局。
【請求項１３】
前記移動局は、複数のバンド内の複数のキャリアを介して上りデータ信号を送信することができない移動局であって、
前記無線基地局が、前記移動局に対して、前記複数のバンド内の複数のキャリアを割り当てた場合、前記移動局は、他の信号よりも重要度の高い信号を送信するキャリアと同一のバンド内のキャリアを用いて上りデータ信号を送信する
ことを特徴とする請求項１又は２に記載の移動通信方法。
【請求項１４】
前記移動局は、複数のバンド内の複数のキャリアを介して上りデータ信号を送信することができない移動局であって、
前記無線基地局は、
前記移動局に対して、前記複数のバンド内の複数のキャリアを割り当てた場合、前記移動局により、他の信号よりも重要度の高い信号を送信するキャリアと同一のバンド内のキャリアを用いて上りデータ信号が送信される
ことを特徴とする請求項３又は４に記載の無線基地局。
【請求項１５】
前記移動局は、複数のバンド内の複数のキャリアを介して上りデータ信号を送信することができない移動局であって、
前記無線基地局により、前記複数のバンド内の複数のキャリアが割り当てられた場合、他の信号よりも重要度の高い信号を送信するキャリアと同一のバンド内のキャリアを用いて上りデータ信号を送信する
ことを特徴とする請求項５又は６に記載の移動局。
【請求項１６】
前記移動局は、複数のアンテナから送信される複数のキャリアを介して上りデータ信号を送信することができない移動局であって、
前記無線基地局が、前記移動局に対して、前記複数のアンテナから送信される複数のキャリアを割り当てた場合、前記移動局は、他の信号よりも重要度の高い信号を送信するキャリアと同一のバンド内のキャリアを用いて上りデータ信号を送信する
ことを特徴とする請求項７又は８に記載の移動通信方法。
【請求項１７】
前記移動局は、複数のアンテナから送信される複数のキャリアを介して上りデータ信号を送信することができない移動局であって、
前記無線基地局は、
前記移動局に対して、前記複数のアンテナから送信される複数のキャリアを割り当てた場合、前記移動局により、他の信号よりも重要度の高い信号を送信するキャリアと同一のバンド内のキャリアを用いて上りデータ信号が送信される
ことを特徴とする請求項９又は１０に記載の無線基地局。
【請求項１８】
前記移動局は、複数のアンテナから送信される複数のキャリアを介して上りデータ信号を送信することができない移動局であって、
前記無線基地局により、前記複数のアンテナから送信される複数のキャリアが割り当てられた場合、他の信号よりも重要度の高い信号を送信するキャリアと同一のバンド内のキャリアを用いて上りデータ信号を送信する
ことを特徴とする請求項１１又は１２に記載の移動局。
【発明の詳細な説明】
【技術分野】
【０００１】
本発明は、移動通信方法、無線基地局及び移動局に関する。
【背景技術】
【０００２】
現在、ＬＴＥ（Ｌｏｎｇ  Ｔｅｒｍ  Ｅｖｏｌｕｔｉｏｎ）方式の仕様策定会議では、「Ｉｎｔｅｒ-ｂａｎｄ  ＣＡ（Ｃａｒｒｉｅｒ  Ａｇｇｒｅｇａｔｉｏｎ）」の検討が実施されている。
【０００３】
図２２に示すように、従来の下り回線を対象とした「Ｄｏｗｎｌｉｎｋ  Ｉｎｔｅｒ-ｂａｎｄ  ＣＡ」を実現するための無線構成は、バンド＃Ａにおける送受信を切り替えるＤｕｐｌｅｘｅｒ＃Ａと、バンド＃Ｂにおける送受信を切り替えるＤｕｐｌｅｘｅｒ＃Ｂと、Ｄｕｐｌｅｘｅｒ＃Ａ及びＤｕｐｌｅｘｅｒ＃Ｂを収容するＤｉｐｌｅｘｅｒとを具備している。
【先行技術文献】
【非特許文献】
【０００４】
【非特許文献１】３ＧＰＰ  ＴＳ３６.１０１
【発明の概要】
【発明が解決しようとする課題】
【０００５】
従来のＦＤＤ方式の移動通信システムを実現するための無線構成では、同一のバンド内の上りリンク帯域から下りリンク帯域への漏れ込みを抑圧するために、ＵＥのポートにはＤｕｐｌｅｘｅｒが挿入されている。
【０００６】
また、「Ｄｏｗｎｌｉｎｋ  Ｉｎｔｅｒ-ｂａｎｄ  ＣＡ」においては、ある帯域からの信号をＵＥが送信しつつ、そのＵＥが複数の帯域の信号を受信するため、Ｕｐｌｉｎｋ信号がその他の帯域に漏れこみ干渉とならないようにＤｉｐｌ
ｅｘｅｒを追加することが検討されている。
【０００７】
例えば、図２２に示すように、バンド＃Ａ/＃Ｂ内の上りリンク帯域から下りリンク帯域への信号（図２２における実線）は、その漏れ込みを抑圧するためにＤｉｐｌｅｘｅｒ＃Ａ/＃Ｂを挿入する。
【０００８】
加えて、バンド＃Ａ内の上りリンク帯域からバンド＃Ｂ内の下りリンク帯域へ漏れ込む信号（図２２における実線）に関しては、同様に、Ｄｉｐｌｅｘｅｒを挿入することで、漏れ込む信号を抑圧する。
【０００９】
ここで、同一のバンド内の上りリンク帯域から下りリンク帯域へのＤｉｐｌｅｃｅｒを経由しての信号の漏れ込みに対しては、ＬＴＥ（Ｒｅｌｅａｓｅ-８）方式において、かかる影響を削減するために「ＲＥＦＳＥＮＳ」等が規定されている。
【００１０】
しかしながら、異なるバンド間での上りリンク帯域から下りリンク帯域へのＤｉｐｌｅｘｅｒを経由しての信号の漏れ込みに対しては、複数の上りリンク帯域からの信号が発生した場合に関しては何ら対策が講じられていない。
【００１１】
特に、そのために発生する送信スプリアスや受信感度の劣化や送信電力の低減等が発生してしまうという問題点があった。
【００１２】
そこで、本発明は、上述の課題に鑑みてなされたものであり、上りリンクのＣＡにおいて、通常、上りリンク帯域から下りリンク帯域への漏れ込みを抑圧するために必要となるＤｉｐｌｅｘｅｒの抑圧性能能力を抑え、その効果によりＤｉｐｌｅｘｅｒの通過ロスを向上させ、通信品質を向上させることができる移動通信方法、無線基地局及び移動局を提供することを目的とする。
【課題を解決するための手段】
【００１３】
本発明の第１の特徴は、異なる周波数のキャリアを用いて上りリンクのキャリアアグリゲーションを行うことができる移動通信システムにおける移動通信方法であって、移動局が、無線基地局に対して、上りリンクのキャリアアグリゲーションを行う際に同一のサブフレームにおいて複数のバンド内の複数のキャリアを介して上りデータ信号を送信することができるか否かについて示す同時送信能力情報を送信する送信工程と、前記無線基地局が、前記同時送信能力情報に基づいて、前記移動局に対するスケジューリングを行うスケジューリング工程と、有し、前記スケジューリング工程では、前記移動局が、上りリンクのキャリアアグリゲーションを行う際に同一のサブフレームにおいて複数のバンド内の複数のキャリアを介して上りデータ信号を送信することができない場合、複数のバンド内の複数のキャリアを介して上りデータ信号を送信しないようにスケジューリングし、同一のバンド内の複数のキャリアを介して上りデータ信号を送信するようにスケジューリングすることを要旨とする。
【００１４】
本発明の第２の特徴は、異なる周波数のキャリアを用いて上りリンクのキャリアアグリゲーションを行うことができる移動通信システムにおける移動通信方法であって、移動局が、無線基地局に対して、上りリンクのキャリアアグリゲーションを行う際に同一のサブフレームにおいて複数のバンド内の複数のキャリアを介して上りデータ信号を送信した場合に所定通信品質を担保することができるか否かについて示す同時送信能力情報を送信する送信工程と、前記無線基地局が、前記同時送信能力情報に基づいて、前記移動局に対するスケジューリングを行うスケジューリング工程と、を有し、前記スケジューリング工程では、前記移動局が、上りリンクのキャリアアグリゲーションを行う際に同一のサブフレームにおいて複数のバンド内の複数のキャリアを介して上りデータ信号を送信した場合に所定通信品質を担保することができない場合、複数のバンド内の複数のキャリアを介して上りデータ信号を送信しないようにスケジューリングし、同一のバンド内の複数のキャリアを介して上りデータ信号を送信するようにスケジューリングすることを要旨とする。
【００１５】
本発明の第３の特徴は、異なる周波数のキャリアを用いて上りリンクのキャリアアグリゲーションを行うことができる移動通信システムで用いられる無線基地局であって、移動局から、上りリンクのキャリアアグリゲーションを行う際に同一のサブフレームにおいて複数のバンド内の複数のキャリアを介して上りデータ信号を送信することができるか否かについて示す同時送信能力情報を受信するように構成されている受信部と、前記同時送信能力情報に基づいて、前記移動局に対するスケジューリングを行うように構成されているスケジューリング部と、を具備し、前記スケジューリング部は、前記移動局が、上りリンクのキャリアアグリゲーションを行う際に同一のサブフレームにおいて複数のバンド内の複数のキャリアを介して上りデータ信号を送信することができない場合、複数のバンド内の複数のキャリアを介して上りデータ信号を送信しないようにスケジューリングし、同一のバンド内の複数のキャリアを介して上りデータ信号を送信するようにスケジューリングすることを要旨とする。
【００１６】
本発明の第４の特徴は、異なる周波数のキャリアを用いて上りリンクのキャリアアグリゲーションを行うことができる移動通信システムで用いられる無線基地局であって、移動局から、上りリンクのキャリアアグリゲーションを行う際に同一のサブフレームにおいて複数のバンド内の複数のキャリアを介して上りデータ信号を送信した場合に所定通信品質を担保することができるか否かについて示す同時送信能力情報を受信するように構成されている受信部と、前記同時送信能力情報に基づいて、前記移動局に対するスケジューリングを行うように構成されているスケジューリング部と、を具備し、前記スケジューリング部は、前記移動局が、上りリンクのキャリアアグリゲーションを行う際に同一のサブフレームにおいて複数のバンド内の複数のキャリアを介して上りデータ信号を送信した場合に所定通信品質を担保することができない場合、複数のバンド内の複数のキャリアを介して上りデータ信号を送信しないようにスケジューリングし、同一のバンド内の複数のキャリアを介して上りデータ信号を送信するようにスケジューリングすることを要旨とする。
【００１７】
本発明の第５の特徴は、異なる周波数のキャリアを用いて上りリンクのキャリアアグリゲーションを行うことができる移動通信システムで用いられる移動局であって、無線基地局に対して、上りリンクのキャリアアグリゲーションを行う際に同一のサブフレームにおいて複数のバンド内の複数のキャリアを介して上りデータ信号を送信することができるか否かについて示す同時送信能力情報を送信するように構成されている送信部を具備し、前記無線基地局により、前記移動局が、上りリンクのキャリアアグリゲーションを行う際に同一のサブフレームにおいて複数のバンド内の複数のキャリアを介して上りデータ信号を送信することができない場合、複数のバンド内の複数のキャリアを介して上りデータ信号を送信しないようにスケジューリングされ、同一のバンド内の複数のキャリアを介して上りデータ信号を送信するようにスケジューリングされることを要旨とする。
【００１８】
本発明の第６の特徴は、異なる周波数のキャリアを用いて上りリンクのキャリアアグリゲーションを行うことができる移動通信システムで用いられる移動局であって、無線基地局に対して、上りリンクのキャリアアグリゲーションを行う際に同一のサブフレームにおいて複数のバンド内の複数のキャリアを介して上りデータ信号を送信した場合に所定通信品質を担保することができるか否かについて示す同時送信能力情報を送信するように構成されている送信部を具備し、前記無線基地局により、前記移動局が、上りリンクのキャリアアグリゲーションを行う際に同一のサブフレームにおいて複数のバンド内の複数のキャリアを介して上りデータ信号を送信した場合に所定通信品質を担保することができない場合、複数のバンド内の複数のキャリアを介して上りデータ信号を送信しないようにスケジューリングされ、同一のバンド内の複数のキャリアを介して上りデータ信号を送信するようにスケジューリングされることを要旨とする。
【００１９】
本発明の第７の特徴は、異なる周波数のキャリアを用いて上りリンクのキャリアアグリゲーションを行うことができる移動通信システムにおける移動通信方法であって、移動局が、無線基地局に対して、上りリンクのキャリアアグリゲーションを行う際に同一のサブフレームにおいて複数のアンテナから送信される複数のキャリアを介して上りデータ信号を送信することができるか否かについて示す同時送信能力情報を送信する送信工程と、前記無線基地局が、前記同時送信能力情報に基づいて、前記移動局に対するスケジューリングを行うスケジューリング工程と、を有し、前記スケジューリング工程では、前記移動局が、上りリンクのキャリアアグリゲーションを行う際に同一のサブフレームにおいて複数のアンテナから送信される複数のキャリアを介して上りデータ信号を送信することができない場合、複数のアンテナから送信される複数のキャリアを介して上りデータ信号を送信しないようにスケジューリングし、同一のアンテナから送信される複数のキャリアを介して上りデータ信号を送信するようにスケジューリングすることを要旨とする。
【００２０】
本発明の第８の特徴は、異なる周波数のキャリアを用いて上りリンクのキャリアアグリゲーションを行うことができる移動通信システムにおける移動通信方法であって、移動局が、無線基地局に対して、上りリンクのキャリアアグリゲーションを行う際に同一のサブフレームにおいて複数のアンテナから送信される複数のキャリアを介して上りデータ信号を送信した場合に所定通信品質を担保することができるか否かについて示す同時送信能力情報を送信する送信工程と、前記無線基地局が、前記同時送信能力情報に基づいて、前記移動局に対するスケジューリングを行うスケジューリング工程と、を有し、前記スケジューリング工程では、前記移動局が、上りリンクのキャリアアグリゲーションを行う際に同一のサブフレームにおいて複数のアンテナから送信される複数のキャリアを介して上りデータ信号を送信した場合に所定通信品質を担保することができない場合、複数のアンテナから送信される複数のキャリアを介して上りデータ信号を送信しないようにスケジューリングし、同一のアンテナから送信される複数のキャリアを介して上りデータ信号を送信するようにスケジューリングすることを要旨とする。
【００２１】
本発明の第９の特徴は、異なる周波数のキャリアを用いて上りリンクのキャリアアグリゲーションを行うことができる移動通信システムで用いられる無線基地局であって、移動局から、上りリンクのキャリアアグリゲーションを行う際に同一のサブフレームにおいて複数のアンテナから送信される複数のキャリアを介して上りデータ信号を送信することができるか否かについて示す同時送信能力情報を受信するように構成されている受信部と、前記同時送信能力情報に基づいて、前記移動局に対するスケジューリングを行うように構成されているスケジューリング部と、を具備し、前記スケジューリング部は、前記移動局が、上りリンクのキャリアアグリゲーションを行う際に同一のサブフレームにおいて複数のアンテナから送信される複数のキャリアを介して上りデータ信号を送信することができない場合、複数のアンテナから送信される複数のキャリアを介して上りデータ信号を送信しないようにスケジューリングし、同一のアンテナから送信される複数のキャリアを介して上りデータ信号を送信するようにスケジューリングすることを要旨とする。
【００２２】
本発明の第１０の特徴は、異なる周波数のキャリアを用いて上りリンクのキャリアアグリゲーションを行うことができる移動通信システムで用いられる無線基地局であって、移動局から、上りリンクのキャリアアグリゲーションを行う際に同一のサブフレームにおいて複数のアンテナから送信される複数のキャリアを介して上りデータ信号を送信した場合に所定通信品質を担保することができるか否かについて示す同時送信能力情報を受信するように構成されている受信部と、前記同時送信能力情報に基づいて、前記移動局に対するスケジューリングを行うように構成されているスケジューリング部と、を具備し、前記スケジューリング部は、前記移動局が、上りリンクのキャリアアグリゲーションを行う際に同一のサブフレームにおいて複数のアンテナから送信される複数のキャリアを介して上りデータ信号を送信した場合に所定通信品質を担保することができない場合、複数のアンテナから送信される複数のキャリアを介して上りデータ信号を送信しないようにスケジューリングし、同一のアンテナから送信される複数のキャリアを介して上りデータ信号を送信するようにスケジューリングすることを要旨とする。
【００２３】
本発明の第１１の特徴は、異なる周波数のキャリアを用いて上りリンクのキャリアアグリゲーションを行うことができる移動通信システムで用いられる移動局であって、無線基地局に対して、上りリンクのキャリアアグリゲーションを行う際に同一のサブフレームにおいて複数のアンテナから送信される複数のキャリアを介して上りデータ信号を送信することができるか否かについて示す同時送信能力情報を送信するように構成されている送信部を具備し、前記無線基地局により、前記移動局が、上りリンクのキャリアアグリゲーションを行う際に同一のサブフレームにおいて複数のアンテナから送信される複数のキャリアを介して上りデータ信号を送信することができない場合、複数のアンテナから送信される複数のキャリアを介して上りデータ信号を送信しないようにスケジューリングされ、同一のアンテナから送信される複数のキャリアを介して上りデータ信号を送信するようにスケジューリングされることを要旨とする。
【００２４】
本発明の第１２の特徴は、異なる周波数のキャリアを用いて上りリンクのキャリアアグリゲーションを行うことができる移動通信システムで用いられる移動局であって、無線基地局に対して、上りリンクのキャリアアグリゲーションを行う際に同一のサブフレームにおいて複数のアンテナから送信される複数のキャリアを介して上りデータ信号を送信した場合に所定通信品質を担保することができるか否かについて示す同時送信能力情報を送信するように構成されている送信部を具備し、前記無線基地局により、前記移動局が、上りリンクのキャリアアグリゲーションを行う際に同一のサブフレームにおいて複数のアンテナから送信される複数のキャリアを介して上りデータ信号を送信した場合に所定通信品質を担保することができない場合、複数のアンテナから送信される複数のキャリアを介して上りデータ信号を送信しないようにスケジューリングされ、同一のアンテナから送信される複数のキャリアを介して上りデータ信号を送信するようにスケジューリングされることを要旨とする。
本発明の第１３の特徴は、請求項１又は２に記載の移動通信方法において、前記移動局は、複数のバンド内の複数のキャリアを介して上りデータ信号を送信することができない移動局であって、前記無線基地局が、前記移動局に対して、前記複数のバンド内の複数のキャリアを割り当てた場合、前記移動局は、他の信号よりも重要度の高い信号を送信するキャリアと同一のバンド内のキャリアを用いて上りデータ信号を送信することを要旨とする。
本発明の第１４の特徴は、請求項３又は４に記載の無線基地局において、前記移動局は、複数のバンド内の複数のキャリアを介して上りデータ信号を送信することができない移動局であって、前記無線基地局は、前記移動局に対して、前記複数のバンド内の複数のキャリアを割り当てた場合、前記移動局により、他の信号よりも重要度の高い信号を送信するキャリアと同一のバンド内のキャリアを用いて上りデータ信号が送信されることを要旨とする。
本発明の第１５の特徴は、請求項５又は６に記載の移動局において、前記移動局は、複数のバンド内の複数のキャリアを介して上りデータ信号を送信することができない移動局であって、前記無線基地局により、前記複数のバンド内の複数のキャリアが割り当てられた場合、他の信号よりも重要度の高い信号を送信するキャリアと同一のバンド内のキャリアを用いて上りデータ信号を送信することを要旨とする。
本発明の第１６の特徴は、請求項７又は８に記載の移動通信方法において、前記移動局は、複数のアンテナから送信される複数のキャリアを介して上りデータ信号を送信することができない移動局であって、前記無線基地局が、前記移動局に対して、前記複数のアンテナから送信される複数のキャリアを割り当てた場合、前記移動局は、他の信号よりも重要度の高い信号を送信するキャリアと同一のバンド内のキャリアを用いて上りデータ信号を送信することを要旨とする。
本発明の第１７の特徴は、請求項９又は１０に記載の無線基地局において、前記移動局は、複数のアンテナから送信される複数のキャリアを介して上りデータ信号を送信することができない移動局であって、前記無線基地局は、前記移動局に対して、前記複数のアンテナから送信される複数のキャリアを割り当てた場合、前記移動局により、他の信号よりも重要度の高い信号を送信するキャリアと同一のバンド内のキャリアを用いて上りデータ信号が送信されることを要旨とする。
本発明の第１８の特徴は、請求項１１又は１２に記載の移動局において、前記移動局は、複数のアンテナから送信される複数のキャリアを介して上りデータ信号を送信することができない移動局であって、前記無線基地局により、前記複数のアンテナから送信される複数のキャリアが割り当てられた場合、他の信号よりも重要度の高い信号を送信するキャリアと同一のバンド内のキャリアを用いて上りデータ信号を送信することを要旨とする。
【発明の効果】
【００２５】
以上説明したように、本発明によれば、上りリンクのＣＡにおいて、通常、上りリンク帯域から下りリンク帯域への漏れ込みを抑圧するために必要となるＤｉｐｌｅｘｅｒの抑圧性能能力を抑え、その効果によりＤｉｐｌｅｘｅｒの通過ロスを向上させ、通信品質を向上させることができる移動通信方法、無線基地局及び移動局を提供することができる。
【図面の簡単な説明】
【００２６】
【図１】本発明の第１の実施形態に係る移動通信システムの全体構成図である。
【図２】本発明の第１の実施形態に係る移動局の機能ブロック図である。
【図３】本発明の第１の実施形態に係る移動局によって送信される「ＵＥ-ＥＵＴＲＡ-Ｃａｐａｂｉｌｉｔｙ」の一例である。
【図４】本発明の第１の実施形態に係る移動局によって送信される「ＵＥ-ＥＵＴＲＡ-Ｃａｐａｂｉｌｉｔｙ」内の「ＣＡ  Ｂａｎｄｗｉｄｔｈ  Ｃｌａｓｓ」の一例である。
【図５】本発明の第１の実施形態に係る移動局によって送信される「ＵＥ-ＥＵＴＲＡ-Ｃａｐａｂｉｌｉｔｙ」の一例である。
【図６】本発明の第１の実施形態に係る移動局によって送信される「ＵＥ-ＥＵＴＲＡ-Ｃａｐａｂｉｌｉｔｙ」内の「ＣＡ  Ｂａｎｄｗｉｄｔｈ  Ｃｌａｓｓ」の一例である。
【図７】本発明の第１の実施形態に係る移動局によって送信される「ＵＥ-ＥＵＴＲＡ-Ｃａｐａｂｉｌｉｔｙ」の一例である。
【図８】本発明の第１の実施形態に係る移動局によって送信される「ＵＥ-ＥＵＴＲＡ-Ｃａｐａｂｉｌｉｔｙ」の一例である。
【図９】本発明の第１の実施形態に係る移動局によって送信される「ＵＥ-ＥＵＴＲＡ-Ｃａｐａｂｉｌｉｔｙ」の一例である。
【図１０】本発明の第１の実施形態に係る移動局によって送信される「ＵＥ-ＥＵＴＲＡ-Ｃａｐａｂｉｌｉｔｙ」の一例である。
【図１１】本発明の第１の実施形態に係る移動局によって送信される「ＵＥ-ＥＵＴＲＡ-Ｃａｐａｂｉｌｉｔｙ」の一例である。
【図１２】本発明の第１の実施形態に係る移動局によって送信される「ＵＥ-ＥＵＴＲＡ-Ｃａｐａｂｉｌｉｔｙ」の一例である。
【図１３】本発明の第１の実施形態に係る移動局によって送信される「ＵＥ-ＥＵＴＲＡ-Ｃａｐａｂｉｌｉｔｙ」の一例である。
【図１４】本発明の第１の実施形態に係る移動局によって送信される「ＵＥ-ＥＵＴＲＡ-Ｃａｐａｂｉｌｉｔｙ」の一例である。
【図１５】本発明の第１の実施形態に係る移動局によって送信される「ＵＥ-ＥＵＴＲＡ-Ｃａｐａｂｉｌｉｔｙ」の一例である。
【図１６】本発明の第１の実施形態に係る移動局によって送信される「ＵＥ-ＥＵＴＲＡ-Ｃａｐａｂｉｌｉｔｙ」の一例である。
【図１７】本発明の第１の実施形態に係る移動局によって送信される「ＵＥ-ＥＵＴＲＡ-Ｃａｐａｂｉｌｉｔｙ」の一例である。
【図１８】本発明の第１の実施形態に係る無線基地局の機能ブロック図である。
【図１９】本発明の第１の実施形態に係る無線基地局によるスケジューリングの一例を示す図である。
【図２０】本発明の第１の実施形態に係る無線基地局によるスケジューリングの一例を示す図である。
【図２１】本発明の第１の実施形態に係る無線基地局によるスケジューリングの一例を示す図である。
【図２２】従来の移動通信システムの問題点を説明するための図である。
【発明を実施するための形態】
【００２７】
（本発明の第１の実施形態に係る移動通信システム）
図１乃至図２１を参照して、本発明の第１の実施形態に係る移動通信システムについて説明する。
【００２８】
本実施形態に係る移動通信システムは、ＬＴＥ-Ａｄｖａｎｃｅｄ方式をサポートしており、「Ｉｎｔｅｒ-ｂａｎｄ  ＣＡ（ＤＬ/ＵＬ）」及び「Ｉｎｔｒａ-ｂａｎｄ  ＣＡ（ＤＬ/ＵＬ）」の少なくとも一方を行うことができるように構成されている。
【００２９】
図１に示すように、本実施形態に係る移動通信システムは、セル＃１を管理する無線基地局ｅＮＢ＃１と、セル＃１のカバーエリア内のセル＃２を管理する無線基地局ｅＮＢ＃２とを具備している。
【００３０】
ここで、セル＃１は、広いエリアをサポートするカバレッジバンド（例えば、バンド＃Ａ）内の周波数キャリアによって運用されているセル（例えば、マクロセル）であり、セル＃２は、ホットスポットにおいてスループットを改善させるためのキャパシティバンド（例えば、バンド＃Ｂ）内の周波数キャリアによって運用されているセル（例えば、ピコセル）である。
【００３１】
また、図１の例では、セル＃１は、移動局ＵＥに対して「Ｐｃｅｌｌ（Ｐｒｉｍａｒｙ  Ｃｅｌｌ）」として設定されており、セル＃２は、移動局ＵＥに対して「Ｓｃｅｌｌ（Ｓｅｃｏｎｄａｒｙ  Ｃｅｌｌ）として設定されアクティブ化されているものとする。
【００３２】
図２に示すように、本実施形態に係る移動局ＵＥは、管理部１１と、受信部１２と、送信部１３とを具備している。
【００３３】
管理部１１は、移動局ＵＥの能力情報を管理するように構成されている。例えば、管理部１１は、移動局ＵＥの能力情報の１つとして、同時送信能力情報を管理するように構成されている。
【００３４】
ここで、同時送信能力情報は、上りリンクのＣＡを行う際に同一のサブフレームにおいて複数のバンド内の複数のキャリアを介して上りデータ信号を送信することができるか否かについて示す情報であってもよいし、上りリンクのＣＡを行う際に同一のサブフレームにおいて複数のバンド内の複数のキャリアを介して上りデータ信号を送信した場合に所定通信品質を担保することができるか否かについて示す情報であってもよい。
【００３５】
本明細書では、「上りリンクのＣＡを行う際に同一のサブフレームにおいて複数のバンド内の複数のキャリアを介して上りデータ信号を送信することができるか否かについて示す情報」は、「上りリンクのＣＡを行う際に同一のサブフレームにおいて１つのバンド内の１つ又は複数のキャリアを介してしか上りデータ信号を送信することができないか否かについて示す情報」と同義であるものと見なす。
【００３６】
同様に、本明細書では、「上りリンクのＣＡを行う際に同一のサブフレームにおいて複数のバンド内の複数のキャリアを介して上りデータ信号を送信した場合に所定通信品質を担保することができるか否かについて示す情報」は、「上りリンクのＣＡを行う際に同一のサブフレームにおいて１つのバンド内の１つ又は複数のキャリアを介して上りデータ信号を送信した場合にしか所定通信品質を担保することができないか否かについて示す情報」と同義であるものと見なす。
【００３７】
或いは、同時送信能力情報は、上りリンクのＣＡを行う際に同一のサブフレームにおいて複数のアンテナから送信される複数のキャリアを介して上りデータ信号を送信することができるか否かについて示す情報であってもよいし、上りリンクのＣＡを行う際に同一のサブフレームにおいて複数のアンテナから送信される複数のキャリアを介して上りデータ信号を送信した場合に所定通信品質を担保することができるか否かについて示す情報であってもよい。
【００３８】
また、本明細書では、「上りリンクのＣＡを行う際に同一のサブフレームにおいて複数のアンテナから送信される複数のキャリアを介して上りデータ信号を送信することができるか否かについて示す情報」は、「上りリンクのＣＡを行う際に同一のサブフレームにおいて１つのアンテナから送信される１つ又は複数のキャリアを介してしか上りデータ信号を送信することができないか否かについて示す情報」と同義であるものと見なす。
【００３９】
同様に、本明細書では、「上りリンクのＣＡを行う際に同一のサブフレームにおいて１つのアンテナから送信される１つ又は複数のキャリアを介して上りデータ信号を送信した場合にしか所定通信品質を担保することができないか否かについて示す情報」と同義であるものと見なす。
【００４０】
受信部１２は、無線基地局ｅＮＢによって送信される各種信号を受信するように構成されている。
【００４１】
例えば、受信部１２は、無線基地局ｅＮＢから、上りリンク或いは下りリンクにおけるスケジューリング信号を受信するように構成されていてもよい。
【００４２】
送信部１３は、無線基地局ｅＮＢに対して、各種信号を送信するように構成されている。
【００４３】
例えば、送信部１３は、無線基地局ｅＮＢに対して、移動局ＵＥの能力情報の１つとして、上述の同時送信能力情報を送信するように構成されていてもよい。
【００４４】
図３に示すように、送信部１３は、「ＵＥ-ＥＵＴＲＡ-Ｃａｐａｂｉｌｉｔｙ」内の「ＣＡ-ＢａｎｄｗｉｄｔｈＣｌａｓｓ-ｒ１０」によって、かかる同時送信能力情報を送信するように構成されていてもよい。
【００４５】
かかる場合、移動局ＵＥ及び無線基地局ｅＮＢは、図４に示すテーブルを管理しており、「ＣＡ-ＢａｎｄｗｉｄｔｈＣｌａｓｓ-ｒ１０」に対応する「Ｎｕｍｂｅｒ  ｏｆ  ｓｉｍｕｌｔａｎｅｏｕｓ  ｔｒａｎｓｍｉｓｓｉｏｎ」が、上りリンクのＣＡを行う際に同一のサブフレームにおいて上りデータ信号を送信することができる複数のバンド（或いは、複数のバンド内ののキャリア）の数、或いは、上りリンクのＣＡを行う際に同一のサブフレームにおいて上りデータ信号を送信した場合に所定通信品質を担保することができる複数のバンド（或いは、複数のバンド内のキャリア）の数を示す。
【００４６】
或いは、移動局ＵＥ及び無線基地局ｅＮＢは、図４に示すテーブルを管理しており、「ＣＡ-ＢａｎｄｗｉｄｔｈＣｌａｓｓ-ｒ１０」に対応する「Ｎｕｍｂｅｒ  ｏｆ  ｓｉｍｕｌｔａｎｅｏｕｓ  ｔｒａｎｓｍｉｓｓｉｏｎ」が、上りリンクのＣＡを行う際に同一のサブフレームにおいて上りデータ信号を送信することができる複数のアンテナ（複数のアンテナから送信されるキャリア）の数、或いは、上りリンクのＣＡを行う際に同一のサブフレームにおいて上りデータ信号を送信した場合に所定通信品質を担保することができる複数のアンテナ（複数のアンテナから送信されるキャリア）の数を示す。
【００４７】
図５に示すように、送信部１３は、「ＵＥ-ＥＵＴＲＡ-Ｃａｐａｂｉｌｉｔｙ」内の「ＣＡ-ＢａｎｄｗｉｄｔｈＣｌａｓｓ-ｒ１０」によって、かかる同時送信能力情報を送信するように構成されていてもよい。
【００４８】
かかる場合、移動局ＵＥ及び無線基地局ｅＮＢは、図６に示すテーブルを管理しており、「ＣＡ-ＢａｎｄｗｉｄｔｈＣｌａｓｓ-ｒ１０」に対応する「Ｎｕｍｂｅｒ  ｏｆ  ｓｉｍｕｌｔａｎｅｏｕｓ  ＵＬ  ｔｒａｎｓｍｉｓｓｉｏｎ」が、上りリンクのＣＡを行う際に同一のサブフレームにおいて上りデータ信号を送信することができる複数のバンド（或いは、複数のバンド内の複数のキャリア）の数、或いは、上りリンクのＣＡを行う際に同一のサブフレームにおいて上りデータ信号を送信した場合に所定通信品質を担保することができる複数のバンド（或いは、複数のバンド内の複数のキャリア）の数を示し、「ＣＡ-ＢａｎｄｗｉｄｔｈＣｌａｓｓ-ｒ１０」に対応する「Ｎｕｍｂｅｒ  ｏｆ  ｓｉｍｕｌｔａｎｅｏｕｓ  ＤＬ  ｔｒａｎｓｍｉｓｓｉｏｎ」が、下りリンクのＣＡを行う際に同一のサブフレームにおいて下りデータ信号を受信することができる複数のアンテナ（複数のアンテナから送信されるキャリア）の数、或いは、下りリンクのＣＡを行う際に同一のサブフレームにおいて下りデータ信号を受信した場合に所定通信品質を担保することができる複数のアンテナ（複数のアンテナから送信されるキャリア）の数を示す。
【００４９】
図７に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ｓｉｍｕｌｔａｎｅｏｕｓＴｘ-ｒ１１」によって、かかる同時送信能力情報を送信するように構成されていてもよい。
【００５０】
かかる場合、送信部１３は、かかる「ｓｉｍｕｌｔａｎｅｏｕｓＴｘ-ｒ１１」によって、上りリンクのＣＡを行う際に同一のサブフレームにおいて複数のバンド内の複数のキャリアを介して上りデータ信号を送信することができるか否かについて（或いは、上りリンクのＣＡを行う際に同一のサブフレームにおいて複数のバンド内の複数のキャリアを介して上りデータ信号を送信した場合に所定通信品質を担保することができるか否かについて）のみを通知する。
【００５１】
或いは、送信部１３は、かかる「ｓｉｍｕｌｔａｎｅｏｕｓＴｘ-ｒ１１」によって、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）のみを通知する。
【００５２】
図８に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ｓｉｍｕｌｔａｎｅｏｕｓＴｘＲｘ-ｒ１１」によって、かかる同時送信能力情報を送信するように構成されていてもよい。
【００５３】
かかる場合、送信部１３は、かかる「ｓｉｍｕｌｔａｎｅｏｕｓＴｘＲｘ-ｒ１１」によって、上りリンクのＣＡを行う際に同一のサブフレームにおいて複数のバンド内の複数のキャリアを介して上りデータ信号を送信することができるか否かについて（或いは、上りリンクのＣＡを行う際に同一のサブフレームにおいて複数のバンド内の複数のキャリアを介して上りデータ信号を送信した場合に所定通信品質を担保することができるか否かについて）、及び、下りリンクのＣＡを行う際に同一のサブフレームにおいて複数のバンド内の複数のキャリアを介して下りデータ信号を受信することができるか否かについて（或いは、下りリンクのＣＡを行う際に同一のサブフレームにおいて複数のバンド内の複数のキャリアを介して下りデータ信号を受信した場合に所定通信品質を担保することができるか否かについて）通知する。
【００５４】
或いは、送信部１３は、かかる「ｓｉｍｕｌｔａｎｅｏｕｓＴｘＲｘ-ｒ１１」によって、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）、及び、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）通知する。
【００５５】
図９に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ｓｉｍｕｌｔａｎｅｏｕｓＴｘ-ｒ１１」及び「ｓｉｍｕｌｔａｎｅｏｕｓＴｘ-ｒ１１」によって、かかる同時送信能力情報を送信するように構成されていてもよい。
【００５６】
かかる場合、送信部１３は、かかる「ｓｉｍｕｌｔａｎｅｏｕｓＴｘ-ｒ１１」によって、上りリンクのＣＡを行う際に同一のサブフレームにおいて複数のバンド内の複数のキャリアを介して上りデータ信号を送信することができるか否かについて（或いは、上りリンクのＣＡを行う際に同一のサブフレームにおいて複数のバンド内の複数のキャリアを介して上りデータ信号を送信した場合に所定通信品質を担保することができるか否かについて）通知し、かかる「ｓｉｍｕｌｔａｎｅｏｕｓＲｘ-ｒ１１」によって、下りリンクのＣＡを行う際に同一のサブフレームにおいて複数のバンド内の複数のキャリアを介して下りデータ信号を受信することができるか否かについて（或いは、下りリンクのＣＡを行う際に同一のサブフレームにおいて複数のバンド内の複数のキャリアを介して下りデータ信号を受信した場合に所定通信品質を担保することができるか否かについて）通知する。
【００５７】
或いは、送信部１３は、かかる「ｓｉｍｕｌｔａｎｅｏｕｓＴｘ-ｒ１１」によって、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）通知し、かかる「ｓｉｍｕｌｔａｎｅｏｕｓＲｘ-ｒ１１」によって、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）通知する。
【００５８】
図１０に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ｓｉｍｕｌｔａｎｅｏｕｓＴｘ-ｒ１１」によって、かかる同時送信能力情報を送信するように構成されていてもよい。
【００５９】
かかる場合、送信部１３は、かかる「ｓｉｍｕｌｔａｎｅｏｕｓＴｘ-ｒ１１」によって、バンドの組み合わせごとに、上りリンクのＣＡを行う際に同一のサブフレームにおいて複数のバンド内の複数のキャリアを介して上りデータ信号を送信することができるか否かについて（或いは、上りリンクのＣＡを行う際に同一のサブフレームにおいて複数のバンド内の複数のキャリアを介して上りデータ信号を送信した場合に所定通信品質を担保することができるか否かについて）通知する。
【００６０】
或いは、送信部１３は、かかる「ｓｉｍｕｌｔａｎｅｏｕｓＴｘ-ｒ１１」によって、バンドの組み合わせごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）通知する。
【００６１】
図１１に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ｓｉｍｕｌｔａｎｅｏｕｓＴｘＲｘ-ｒ１１」によって、かかる同時送信能力情報を送信するように構成されていてもよい。
【００６２】
かかる場合、送信部１３は、かかる「ｓｉｍｕｌｔａｎｅｏｕｓＴｘＲｘ-ｒ１１」によって、バンドの組み合わせごとに、上りリンクのＣＡを行う際に同一のサブフレームにおいて複数のバンド内の複数のキャリアを介して上りデータ信号を送信することができるか否かについて（或いは、上りリンクのＣＡを行う際に同一のサブフレームにおいて複数のバンド内の複数のキャリアを介して上りデータ信号を送信した場合に所定通信品質を担保することができるか否かについて）、及び、下りリンクのＣＡを行う際に同一のサブフレームにおいて複数のバンド内の複数のキャリアを介して下りデータ信号を受信することができるか否かについて（或いは、下りリンクのＣＡを行う際に同一のサブフレームにおいて複数のバンド内の複数のキャリアを介して下りデータ信号を受信した場合に所定通信品質を担保することができるか否かについて）通知する。
【００６３】
或いは、送信部１３は、かかる「ｓｉｍｕｌｔａｎｅｏｕｓＴｘＲｘ-ｒ１１」によって、バンドの組み合わせごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）、及び、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）通知する。
【００６４】
図１２に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ｓｉｍｕｌｔａｎｅｏｕｓＴｘ-ｒ１１」及び「ｓｉｍｕｌｔａｎｅｏｕｓＲｘ-ｒ１１」によって、かかる同時送信能力情報を送信するように構成されていてもよい。
【００６５】
かかる場合、送信部１３は、かかる「ｓｉｍｕｌｔａｎｅｏｕｓＴｘ-ｒ１１」によって、バンドの組み合わせごとに、上りリンクのＣＡを行う際に同一のサブフレームにおいて複数のバンド内の複数のキャリアを介して上りデータ信号を送信することができるか否かについて（或いは、上りリンクのＣＡを行う際に同一のサブフレームにおいて複数のバンド内の複数のキャリアを介して上りデータ信号を送信した場合に所定通信品質を担保することができるか否かについて）通知し、かかる「ｓｉｍｕｌｔａｎｅｏｕｓＲｘ-ｒ１１」によって、バンドの組み合わせごとに、下りリンクのＣＡを行う際に同一のサブフレームにおいて複数のバンド内の複数のキャリアを介して下りデータ信号を受信することができるか否かについて（或いは、下りリンクのＣＡを行う際に同一のサブフレームにおいて複数のバンド内の複数のキャリアを介して下りデータ信号を受信した場合に所定通信品質を担保することができるか否かについて）通知する。
【００６６】
或いは、送信部１３は、かかる「ｓｉｍｕｌｔａｎｅｏｕｓＴｘ-ｒ１１」によって、バンドの組み合わせごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）通知し、かかる「ｓｉｍｕｌｔａｎｅｏｕｓＲｘ-ｒ１１」によって、バンドの組み合わせごとに、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）通知する。
【００６７】
図１３に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ＢａｎｄＰａｒａｍｅｔｅｒｓ-ｒ１１」内の「ｓｉｍｕｌｔａｎｅｏｕｓＴｘ-ｒ１１」によって、かかる同時送信能力情報を送信するように構成されていてもよい。
【００６８】
かかる場合、送信部１３は、かかる「ｓｉｍｕｌｔａｎｅｏｕｓＴｘ-ｒ１１」によって、バンドごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）通知する。
【００６９】
図１４に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ＢａｎｄＰａｒａｍｅｔｅｒｓ-ｒ１１」内の「ｓｉｍｕｌｔａｎｅｏｕｓＴｘＲｘ-ｒ１１」によって、かかる同時送信能力情報を送信するように構成されていてもよい。
【００７０】
かかる場合、送信部１３は、かかる「ｓｉｍｕｌｔａｎｅｏｕｓＴｘＲｘ-ｒ１１」によって、バンドごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）、及び、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）通知する。
【００７１】
図１５に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ＢａｎｄＰａｒａｍｅｔｅｒｓ-ｒ１１」内の「ｓｉｍｕｌｔａｎｅｏｕｓＴｘ-ｒ１１」及び「ｓｉｍｕｌｔａｎｅｏｕｓＲｘ-ｒ１１」によって、かかる同時送信能力情報を送信するように構成されていてもよい。
【００７２】
かかる場合、送信部１３は、かかる「ｓｉｍｕｌｔａｎｅｏｕｓＴｘ-ｒ１１」によって、バンドごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）通知し、かかる「ｓｉｍｕｌｔａｎｅｏｕｓＲｘ-ｒ１１」によって、バンドごとに、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）通知する。
【００７３】
図１６に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ＢａｎｄＰａｒａｍｅｔｅｒｓ-ｒ１１」内の「ＣＡ-ＭＩＭＯ-Ｐａｒａｍｅｔｅｒｓ-ｒ１１」内の「ｓｉｍｕｌｔａｎｅｏｕｓＴｘ-ｒ１１」によって、かかる同時送信能力情報を送信するように構成されていてもよい。
【００７４】
かかる場合、送信部１３は、かかる「ｓｉｍｕｌｔａｎｅｏｕｓＴｘ-ｒ１１」によって、ＣＡｂａｎｄＣｌａｓｓごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）通知する。
【００７５】
図１７に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ＢａｎｄＰａｒａｍｅｔｅｒｓ-ｒ１１」内の「ＣＡ-ＭＩＭＯ-Ｐａｒａｍｅｔｅｒｓ-ｒ１１」内の「ｓｉｍｕｌｔａｎｅｏｕｓＴｘＲｘ-ｒ１１」によって、かかる同時送信能力情報を送信するように構成されていてもよい。
【００７６】
かかる場合、送信部１３は、かかる「ｓｉｍｕｌｔａｎｅｏｕｓＴｘＲｘ-ｒ１１」によって、ＣＡｂａｎｄＣｌａｓｓごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）、及び、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）通知する。
【００７７】
図１８に示すように、送信部１３は、「ＵＥ-ＥＵＴＲＡ-Ｃａｐａｂｉｌｉｔｙ」内の「ＵＥ-ＥＵＴＲＡ-Ｃａｐａｂｉｌｉｔｙ-ｖ１１ｘｙ-ＩＥｓ」内の「ＲＦ-Ｐａｒａｍｅｔｅｒｓ-ｖ１１ｘｙ」内の「ＳｕｐｐｏｒｔｅｄＢａｎｄＣｏｍｂｉｎａｔｉｏｎ-ｒ１１」内の「ＳｕｐｐｏｒｔｅｄＢａｎｄＣｏｍｂｉｎａｔｉｏｎＰａｒａｍｅｔｅｒｓ-ｒ１１」内の「ＢａｎｄＰａｒａｍｅｔｅｒｓ-ｒ１１」内の「ＣＡ-ＭＩＭＯ-Ｐａｒａｍｅｔｅｒｓ-ｒ１１」内の「ｓｉｍｕｌｔａｎｅｏｕｓＴｘ-ｒ１１」及び「ｓｉｍｕｌｔａｎｅｏｕｓＲｘ-ｒ１１」によって、かかる同時送信能力情報を送信するように構成されていてもよい。
【００７８】
かかる場合、送信部１３は、かかる「ｓｉｍｕｌｔａｎｅｏｕｓＴｘ-ｒ１１」によって、ＣＡｂａｎｄＣｌａｓｓごとに、上りリンクのＣＡを行う際に同一のサブフレームにおいて複数のアンテナから送信される複数のキャリアを介して上りデータ信号を送信することができるか否かについて（或いは、上りリンクのＣＡを行う際に同一のサブフレームにおいて複数のアンテナから送信される複数のキャリアを介して上りデータ信号を送信した場合に所定通信品質を担保することができるか否かについて）通知し、かかる「ｓｉｍｕｌｔａｎｅｏｕｓＲｘ-ｒ１１」によって、ＣＡｂａｎｄＣｌａｓｓごとに、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）通知する。
【００７９】
また、下りリンクのＣＡを行う際に同一のサブフレームにおいて複数のバンド内の複数のキャリアを介して下りデータ信号を受信することができるか否かについて（或いは、下りリンクのＣＡを行う際に同一のサブフレームにおいて複数のバンド内の複数のキャリアを介して下りデータ信号を受信した場合に所定通信品質を担保することができるか否かについて）の通知に関しては、移動局ＵＥ（或いは、無線基地局ｅＮＢ）が「Ｃｒｏｓｓ  Ｃａｒｒｉｅｒ  Ｓｃｈｅｄｕｌｉｎｇ」に対応している場合にのみ限定して行われてもよい。
【００８０】
或いは、下りリンクのＣＡを行う際に同一のサブフレームにおいて複数のアンテナから送信される複数のキャリアを介して下りデータ信号を受信することができるか否かについて（或いは、下りリンクのＣＡを行う際に同一のサブフレームにおいて複数のアンテナから送信される複数のキャリアを介して下りデータ信号を受信した場合に所定通信品質を担保することができるか否かについて）の通知に関しては、移動局ＵＥ（或いは、無線基地局ｅＮＢ）が「Ｃｒｏｓｓ  Ｃａｒｒｉｅｒ  Ｓｃｈｅｄｕｌｉｎｇ」に対応している場合にのみ限定して行われてもよい。
【００８１】
ここで、移動局ＵＥの受信部１２及び送信部１３は、図２２に示すように、Ｄｉｐｌｅｘｅｒ及びＤｕｐｌｅｘｅｒを具備する構成となっていてもよい。
【００８２】
図１９に示すように、無線基地局ｅＮＢは、受信部２１と、管理部２２と、スケジューリング部２３と、送信部２４とを具備している。
【００８３】
受信部２１は、移動局ＵＥによって送信される各種信号を受信するように構成されている。
【００８４】
例えば、受信部２１は、移動局ＵＥから、移動局ＵＥの能力情報の１つとして、上述の同時送信能力情報を受信するように構成されていてもよい。
【００８５】
管理部２２は、移動局ＵＥの能力情報を管理するように構成されている。例えば、管理部２２は、移動局ＵＥの能力情報の１つとして、上述の同時送信能力情報を管理するように構成されていてもよい。
【００８６】
スケジューリング部２３は、移動局ＵＥに対するスケジューリング処理を行うように構成されている。
【００８７】
例えば、スケジューリング部２３は、管理部２２によって管理されている移動局ＵＥの能力情報（上述の同時送信能力情報）に基づいて、移動局ＵＥに対するスケジューリング処理を行うように構成されていてもよい。
【００８８】
具体的には、図２０に示すように、スケジューリング部２３は、スケジュール対象の移動局ＵＥが、上りリンクのＣＡを行う際に同一のサブフレームにおいて複数のバンド内の複数のキャリアを介して上りデータ信号を送信することができない場合（すなわち、上りリンクのＣＡを行う際に同一のサブフレームにおいて１つのバンド内の１つ又は複数のキャリアを介してしか上りデータ信号を送信することができない場合）、或いは、上りリンクのＣＡを行う際に同一のサブフレームにおいて複数のバンド内の複数のキャリアを介して上りデータ信号を送信した場合に所定通信品質を担保することができない場合（すなわち、上りリンクのＣＡを行う際に同一のサブフレームにおいて１つのバンド内の１つ又は複数のキャリアを介して上りデータ信号を送信した場合にしか所定通信品質を担保することができない場合）、かかる移動局ＵＥに対して、上りリンクのＣＡを行う際に同一のサブフレームにおいて、複数のバンド内の複数のキャリアを介して上りデータ信号を送信しないようにスケジューリングを行うように構成されていてもよい。
【００８９】
かかる場合、図２０の例では、スケジューリング部２３は、かかる移動局ＵＥに対して、上りリンクのＣＡを行う際に同一のサブフレームにおいて、バンド＃Ａ内のＣＣ＃１（或いは、ＣＣ＃２）及びバンド＃Ｂ内のＣＣ＃３を介して上りデータ信号を送信しないようにスケジューリングを行うように構成されていてもよい。
【００９０】
ただし、かかる場合であっても、スケジューリング部２３は、かかる移動局ＵＥに対して、上りリンクのＣＡを行う際に同一のサブフレームにおいて、同一のバンド＃Ａ内のＣＣ＃１及びＣＣ＃２を介して上りデータ信号を送信するようにスケジューリングを行ってもよい。
【００９１】
或いは、図２１に示すように、スケジューリング部２３は、スケジュール対象の移動局ＵＥが、上りリンクのＣＡを行う際に同一のサブフレームにおいて複数のアンテナから送信される複数のキャリアを介して上りデータ信号を送信することができない場合（すなわち、上りリンクのＣＡを行う際に同一のサブフレームにおいて１つのアンテナから送信される１つ又は複数のキャリアを介してしか上りデータ信号を送信することができない場合）、或いは、上りリンクのＣＡを行う際に同一のサブフレームにおいて複数のアンテナから送信される複数のキャリアを介して上りデータ信号を送信した場合に所定通信品質を担保することができない場合（すなわち、上りリンクのＣＡを行う際に同一のサブフレームにおいて１つのアンテナから送信される１つ又は複数のキャリアを介して上りデータ信号を送信した場合にしか所定通信品質を担保することができない場合）、かかる移動局ＵＥに対して、上りリンクのＣＡを行う際に同一のサブフレームにおいて、複数のアンテナから送信される複数のキャリアを介して上りデータ信号を送信しないようにスケジューリングを行うように構成されていてもよい。
【００９２】
かかる場合、図２１の例では、スケジューリング部２３は、かかる移動局ＵＥに対して、上りリンクのＣＡを行う際に同一のサブフレームにおいて、アンテナ（ＲＦ）＃１から送信されるバンド＃Ａ内のＣＣ＃１及びアンテナ（ＲＦ）＃２から送信されるバンド＃Ａ内のＣＣ＃２（或いは、ＣＣ＃３）を介して上りデータ信号を送信しないようにスケジューリングを行うように構成されていてもよい。
【００９３】
ただし、かかる場合であっても、スケジューリング部２３は、かかる移動局ＵＥに対して、上りリンクのＣＡを行う際に同一のサブフレームにおいて、同一のアンテナ（ＲＦ）から送信されるバンド＃Ａ内のＣＣ＃２及びＣＣ＃３を介して上りデータ信号を送信するようにスケジューリングを行ってもよい。
【００９４】
送信部２４は、移動局ＵＥに対して、各種信号を送信するように構成されている。
【００９５】
例えば、送信部２４は、移動局ＵＥに対して、スケジューリング信号を送信するように構成されていてもよい。
【００９６】
なお、上記のような、上りリンクのＣＡを行う際に同一のサブフレームにおいて複数のバンド内の複数のキャリアを介して上りデータ信号を送信することができない移動局ＵＥに対して、無線基地局ｅＮＢが誤って複数のＣＣに割り当てを行ってしまった場合には、移動局ＵＥは、重要な信号を送信するＣＣと同じバンド内のＣＣのみを送信する機能を有してもよい。
【００９７】
或いは、上記のような、上りリンクのＣＡを行う際に同一のサブフレームにおいて複数のアンテナから送信される複数のキャリアを介して上りデータ信号を送信することができない移動局ＵＥに対して、無線基地局ｅＮＢが誤って複数のＣＣに割り当てを行ってしまった場合には、移動局ＵＥは、重要な信号を送信するＣＣと同じアンテナによって送信されるＣＣのみを送信する機能を有してもよい。
【００９８】
例えば、ＰＵＣＣＨは、ＰＵＳＣＨよりも重要性が高い信号であるため、移動局ＵＥは、ＰＵＣＣＨを優先して、ＰＵＣＣＨが割り当てられている上りリンク帯域でのみ送信する機能を有してもよい。
【００９９】
また、上記のようなケースにおいて、同時に送信をするが、その際の通信品質が大きく劣化してしまっても構わない。
【０１００】
本実施形態に係る発明によれば、移動局ＵＥが、無線基地局ｅＮＢに対して、上述の同時送信能力情報を送信し、無線基地局ｅＮＢが、かかる同時送信能力情報に基づいて、スケジューリングを行うように構成されているため、異なるバンド間での上りリンク帯域から下りリンク帯域への漏れ込みに対して、同一サブフレームにおける送信を行わないため、簡易なＤｉｐｌｅｘｅｒにより実現することが可能であり、結果として、通信性能を１つの上りリンク帯域を利用した通信とすることが可能である。
【０１０１】
以上に述べた本実施形態の特徴は、以下のように表現されていてもよい。
【０１０２】
本実施形態の第１の特徴は、異なる周波数のキャリアを用いて上りリンクのＣＡ（キャリアアグリゲーション）を行うことができる移動通信システムにおける移動通信方法であって、移動局ＵＥが、無線基地局ｅＮＢに対して、上りリンクのＣＡを行う際に同一のサブフレームにおいて複数のバンド内の複数のキャリアを介して上りデータ信号を送信することができるか否かについて示す同時送信能力情報を送信する工程と、無線基地局ｅＮＢが、同時送信能力情報に基づいて、移動局ＵＥに対するスケジューリングを行う工程とを有することを要旨とする。
【０１０３】
本実施形態の第２の特徴は、異なる周波数のキャリアを用いて上りリンクのＣＡを行うことができる移動通信システムにおける移動通信方法であって、移動局ＵＥが、無線基地局ｅＮＢに対して、上りリンクのＣＡを行う際に同一のサブフレームにおいて複数のバンド内の複数のキャリアを介して上りデータ信号を送信した場合に所定通信品質を担保することができるか否かについて示す同時送信能力情報を送信する工程と、無線基地局ｅＮＢが、同時送信能力情報に基づいて、移動局ＵＥに対するスケジューリングを行う工程とを有することを要旨とする。
【０１０４】
本実施形態の第３の特徴は、異なる周波数のキャリアを用いて上りリンクのＣＡを行うことができる移動通信システムで用いられる無線基地局ｅＮＢであって、移動局ＵＥから、上りリンクのＣＡを行う際に同一のサブフレームにおいて複数のバンド内の複数のキャリアを介して上りデータ信号を送信することができるか否かについて示す同時送信能力情報を受信するように構成されている受信部２１と、同時送信能力情報に基づいて、移動局ＵＥに対するスケジューリングを行うように構成されているスケジューリング部２３とを具備することを要旨とする。
【０１０５】
本実施形態の第４の特徴は、異なる周波数のキャリアを用いて上りリンクのＣＡを行うことができる移動通信システムで用いられる無線基地局ｅＮＢであって、移動局ＵＥから、上りリンクのＣＡを行う際に同一のサブフレームにおいて複数のバンド内の複数のキャリアを介して上りデータ信号を送信した場合に所定通信品質を担保することができるか否かについて示す同時送信能力情報を受信するように構成されている受信部２１と、同時送信能力情報に基づいて、移動局ＵＥに対するスケジューリングを行うように構成されているスケジューリング部２３とを具備することを要旨とする。
【０１０６】
本実施形態の第５の特徴は、異なる周波数のキャリアを用いて上りリンクのＣＡを行うことができる移動通信システムで用いられる移動局ＵＥであって、無線基地局ｅＮＢに対して、上りリンクのＣＡを行う際に同一のサブフレームにおいて複数のバンド内の複数のキャリアを介して上りデータ信号を送信することができるか否かについて示す同時送信能力情報を送信するように構成されている送信部１２を具備することを要旨とする。
【０１０７】
本実施形態の第６の特徴は、異なる周波数のキャリアを用いて上りリンクのＣＡを行うことができる移動通信システムで用いられる移動局ＵＥであって、無線基地局ｅＮＢに対して、上りリンクのＣＡを行う際に同一のサブフレームにおいて複数のバンド内の複数のキャリアを介して上りデータ信号を送信した場合に所定通信品質を担保することができるか否かについて示す同時送信能力情報を送信するように構成されている送信部１２を具備することを要旨とする。
【０１０８】
本実施形態の第７の特徴は、異なる周波数のキャリアを用いて上りリンクのＣＡを行うことができる移動通信システムにおける移動通信方法であって、移動局ＵＥが、無線基地局ｅＮＢに対して、上りリンクのＣＡを行う際に同一のサブフレームにおいて複数のアンテナから送信される複数のキャリアを介して上りデータ信号を送信することができるか否かについて示す同時送信能力情報を送信する工程と、無線基地局ｅＮＢが、同時送信能力情報に基づいて、移動局ＵＥに対するスケジューリングを行う工程とを有することを要旨とする。
【０１０９】
本実施形態の第８の特徴は、異なる周波数のキャリアを用いて上りリンクのＣＡを行うことができる移動通信システムにおける移動通信方法であって、移動局ＵＥが、無線基地局ｅＮＢに対して、上りリンクのＣＡを行う際に同一のサブフレームにおいて複数のアンテナから送信される複数のキャリアを介して上りデータ信号を送信した場合に所定通信品質を担保することができるか否かについて示す同時送信能力情報を送信する工程と、無線基地局ｅＮＢが、同時送信能力情報に基づいて、移動局ＵＥに対するスケジューリングを行う工程とを有することを要旨とする。
【０１１０】
本実施形態の第９の特徴は、異なる周波数のキャリアを用いて上りリンクのＣＡを行うことができる移動通信システムで用いられる無線基地局ｅＮＢであって、移動局ＵＥから、上りリンクのＣＡを行う際に同一のサブフレームにおいて複数のアンテナから送信される複数のキャリアを介して上りデータ信号を送信することができるか否かについて示す同時送信能力情報を受信するように構成されている受信部２１と、同時送信能力情報に基づいて、移動局ＵＥに対するスケジューリングを行うように構成されているスケジューリング部２３とを具備することを要旨とする。
【０１１１】
本実施形態の第１０の特徴は、異なる周波数のキャリアを用いて上りリンクのＣＡを行うことができる移動通信システムで用いられる無線基地局ｅＮＢであって、移動局ＵＥから、上りリンクのＣＡを行う際に同一のサブフレームにおいて複数のアンテナから送信される複数のキャリアを介して上りデータ信号を送信した場合に所定通信品質を担保することができるか否かについて示す同時送信能力情報を受信するように構成されている受信部２１と、同時送信能力情報に基づいて、移動局ＵＥに対するスケジューリングを行うように構成されているスケジューリング部２３とを具備することを要旨とする。
【０１１２】
本実施形態の第１１の特徴は、異なる周波数のキャリアを用いて上りリンクのＣＡを行うことができる移動通信システムで用いられる移動局ＵＥであって、無線基地局ｅＮＢに対して、上りリンクのＣＡを行う際に同一のサブフレームにおいて複数のアンテナから送信される複数のキャリアを介して上りデータ信号を送信することができるか否かについて示す同時送信能力情報を送信するように構成されている送信部１２を具備することを要旨とする。
【０１１３】
本実施形態の第１２の特徴は、異なる周波数のキャリアを用いて上りリンクのＣＡを行うことができる移動通信システムで用いられる移動局ＵＥであって、無線基地局ｅＮＢに対して、上りリンクのＣＡを行う際に同一のサブフレームにおいて複数のアンテナから送信される複数のキャリアを介して上りデータ信号を送信した場合に所定通信品質を担保することができるか否かについて示す同時送信能力情報を送信するように構成されている送信部１２を具備することを要旨とする。
【０１１４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１１５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１１７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１８】
ＵＥ…移動局
ｅＮＢ…無線基地局
１１、２２…管理部
１２、２４…送信部
１３、２１…受信部
２３…スケジューリング部
【図１】
0005953079.tif 000002
【図２】
0005953079.tif 000003
【図３】
0005953079.tif 000004
【図４】
0005953079.tif 000005
【図５】
0005953079.tif 000006
【図６】
0005953079.tif 000007
【図７】
0005953079.tif 000008
【図８】
0005953079.tif 000009
【図９】
0005953079.tif 000010
【図１０】
0005953079.tif 000011
【図１１】
0005953079.tif 000012
【図１２】
0005953079.tif 000013
【図１３】
0005953079.tif 000014
【図１４】
0005953079.tif 000015
【図１５】
0005953079.tif 000016
【図１６】
0005953079.tif 000017
【図１７】
0005953079.tif 000018
【図１８】
0005953079.tif 000019
【図１９】
0005953079.tif 000020
【図２０】
0005953079.tif 000021
【図２１】
0005953079.tif 000022
【図２２】
0005953079.tif 000023